(57)【要約】【課題】  記録媒体のレーベル印刷を行う為の操作手順を簡易化できていない。特にＤＶＤなどのディスク状記録媒体を用いた際のファイナライズ処理との関係で、分かりやすいレーベル印刷の制御を行うことが出来ていない。【解決手段】  上記の課題を解決するための情報処理装置は、着脱可能な記録媒体へのファイナライズ処理の制御を行う制御手段と、制御手段によるファイナライズ処理の開始の後に、記録媒体に対応するプリントデータを生成する生成手段とを有することを特徴とする。【選択図】  図１
2009048709.tif 000002
【特許請求の範囲】
【請求項１】
着脱可能な記録媒体へのファイナライズ処理の制御を行う制御手段と、
前記制御手段によるファイナライズ処理の開始の後に、前記記録媒体に対応するプリントデータを生成する生成手段とを有することを特徴とする情報処理装置。
【請求項２】
前記生成手段は、前記ファイナライズ処理の開始の後に、プリントデータの生成の指示を受けることによってプリントデータの生成を行うことを特徴とする請求項１に記載の情報処理装置。
【請求項３】
前記記録媒体はディスク状の記録媒体であり、前記プリントデータは、前記ディスク状の記録媒体の表面へ直接プリントするためのデータ、もしくは、前記ディスク状の記録媒体に貼り付ける用紙へプリントするためのデータであることを特徴とする請求項１に記載の情報処理装置。
【請求項４】
前記プリントデータは、前記記録媒体の表面へ直接プリントする為のデータ、もしくは、前記記録媒体に貼り付ける用紙へプリントする為のデータであることを特徴とする請求項１に記載の情報処理装置。
【請求項５】
前記プリントデータは、前記記録媒体に記録されている画像データを用いて生成されることを特徴とする請求項１に記載の情報処理装置。
【請求項６】
前記プリントデータは、前記記録媒体に関する情報、または前記記録媒体に記録されているデータに関する情報に基づき生成されることを特徴とする請求項１に記載の情報処理装置。
【請求項７】
さらに外部のプリンタと通信するための通信手段とを有し、前記通信手段により前記生成手段で生成されたプリントデータを出力したことに応じて、前記記録媒体を排出可能とすることを特徴とする請求項１に記載の情報処理装置。
【請求項８】
さらに、撮像手段と、前記撮像手段により取得された画像データを前記記録媒体へ記録する記録手段とを有することを特徴とする請求項１に記載の情報処理装置。
【請求項９】
前記ファイナライズ処理により、データの追加記録を不可能とすることを特徴とする請求項１に記載の情報処理装置。
【請求項１０】
着脱可能な記録媒体へのファイナライズ処理の制御を行う制御工程と、
前記制御工程によるファイナライズ処理の開始の後に、前記記録媒体に対応するプリントデータを生成する生成工程とを有することを特徴とする情報処理装置の制御方法。
【請求項１１】
着脱可能な記録媒体に対応するプリントデータを生成する生成手段と、
前記記録媒体へのファイナライズ処理の制御を行う制御手段と、
前記制御手段によるファイナライズ処理の前に、前記プリントデータを前記記録媒体に記録する記録手段とを有することを特徴とする情報処理装置。
【請求項１２】
前記記録媒体はディスク状の記録媒体であり、前記プリントデータは、前記ディスク状の記録媒体の表面へ直接プリントするためのデータ、もしくは、前記ディスク状の記録媒体に貼り付ける用紙へプリントするためのデータであることを特徴とする請求項１１に記載の情報処理装置。
【請求項１３】
前記プリントデータは、前記記録媒体の表面へ直接プリントする為のデータ、もしくは、前記記録媒体に貼り付ける用紙へプリントする為のデータであることを特徴とする請求項１１に記載の情報処理装置。
【請求項１４】
前記プリントデータは、前記記録媒体に記録されている画像データを用いて生成されることを特徴とする請求項１１に記載の情報処理装置。
【請求項１５】
前記プリントデータは、前記記録媒体に関する情報、または前記記録媒体に記録されているデータに関する情報に基づき生成されることを特徴とする請求項１１に記載の情報処理装置。
【請求項１６】
さらに外部のプリンタと通信するための通信手段とを有し、前記通信手段により前記生成手段で生成されたプリントデータを出力したことに応じて、前記記録媒体を排出可能とすることを特徴とする請求項１１に記載の情報処理装置。
【請求項１７】
前記ファイナライズ処理により、データの追加記録を不可能とすることを特徴とする請求項１１に記載の情報処理装置。
【請求項１８】
着脱可能な記録媒体に対応するプリントデータを生成する生成工程と、
前記記録媒体へのファイナライズ処理の制御を行う制御工程と、
前記制御工程によるファイナライズ処理の前に、前記プリントデータを前記記録媒体に記録する記録工程とを有することを特徴とする情報処理装置の制御方法。
【請求項１９】
着脱可能な記録媒体へのファイナライズ処理の制御を行う制御工程と、
前記制御工程によるファイナライズ処理の開始の後に、前記記録媒体に対応するプリントデータを生成する生成工程とを有することを特徴とする情報処理方法をコンピュータにより実行させる為のプログラム。
【請求項２０】
着脱可能な記録媒体に対応するプリントデータを生成する生成工程と、
前記記録媒体へのファイナライズ処理の制御を行う制御工程と、
前記制御工程によるファイナライズ処理の前に、前記プリントデータを前記記録媒体に記録する記録工程とを有することを特徴とする情報処理方法をコンピュータにより実行させる為のプログラム。
【請求項２１】
請求項１９、または請求項２０に記載のプログラムをコンピュータに読み取り可能に記憶したことを特徴とする記憶媒体。
【発明の詳細な説明】
【技術分野】
【０００１】
本発明は、記録メディアの表面に印刷する、いわゆるレーベル印刷技術に関する。
【背景技術】
【０００２】
従来、入力された画像データからレーベル印刷用のデータを生成し、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）にレーベル印刷するものが知られている。（特許文献１参照）
この文献は、ディスクを量産するための業務用途に用いルことを前提としている。
【０００３】
一方、一般ユーザが個人的に録音もしくは撮影したディスクにレーベル印刷を行う場合もある。
【０００４】
この場合は、ＰＣとＰＣに接続されたホームプリンタを用いる方法が一般的であり、ＰＣ上に存在する画像データを、専用のプリント用プログラムでレイアウトして印刷するような手順となる。
【０００５】
更に近年では、カメラに装着されたメモリーカードに記録された画像データからプリント画像を生成し、その画像をカメラに接続されているプリンタでダイレクトプリントするような方法も考案されてきている。（特許文献２参照）
【特許文献１】特開平０７−０３２７２８号公報
【特許文献２】特開２００４−００９３８８号公報
【発明の開示】
【発明が解決しようとする課題】
【０００６】
しかしながら、例えばカムコーダ等の記録再生装置に着脱可能なメディア（例えばＤＶＤ）の表面に、レーベル印刷を行おうとした場合、以下に説明するような様々な問題があった。
１．ＰＣを用いた印刷方法では、ユーザが一旦録画されている画像などのデータをＰＣに取り込み、印刷画像作成してレイアウトするなど、様々な操作をユーザが行わなければならない煩わしさがあった
２．カメラからのダイレクトプリントによる方法では、レーベル印刷画像を簡単に作る方法は提供されていない。特に、どのような動作条件でレーベル印刷用のデータを作成して、どのようなタイミングで印刷を実行するのかなど、ユーザにとって最適な操作方法を提供するものは無い。
３．ＤＶＤなどのディスク状記録媒体でファイナライズ処理を行う前にレーベルプリントしてしまうと、その後で記録された画像データに関する情報はレーベルに反映できず、ディスクに記録された内容を正確に把握することが出来ない。
【０００７】
本発明では、上記の課題の全て、又は少なくとも一つを解決することを目的とする。
【課題を解決するための手段】
【０００８】
上記の目的を達成するため、本発明の実施形態は、情報処理装置は、着脱可能な記録媒体へのファイナライズ処理の制御を行う制御手段と、制御手段によるファイナライズ処理の開始の後に、記録媒体に対応するプリントデータを生成する生成手段とを有することを特徴とする。
【０００９】
また、上記の目的を達成するため、本発明の別の実施形態は、着脱可能な記録媒体に対応するプリントデータを生成する生成手段と、記録媒体へのファイナライズ処理の制御を行う制御手段と、制御手段によるファイナライズ処理の前に、プリントデータを記録媒体に記録する記録手段とを有することを特徴とする。
【発明の効果】
【００１０】
本発明に拠れば、ユーザにとってわかりやすい操作手順で、例えばカムコーダ等の情報処理装置に装着されているメディア（例えばＤＶＤ）の表面に、そのメディアに録画された画像データを用いてレーベル印刷を行うことが可能となる。
【００１１】
特に、ファイナライズ処理の開始の後に、記録媒体に対応するプリントデータを生成することで、記録媒体に記録されているデータとレーベルの記録内容との矛盾をなくすことが可能になる。
【００１２】
また、ファイナライズ処理の前に、プリントデータを記録媒体に記録することで、ファイナライズ処理されたディスクと、レーベルプリント用のデータが一体不可分となる。そのため、後々にレーベル印刷する際に、ディスクの中身とレーベルの記載内容との矛盾の発生を防止しやすい。
【発明を実施するための最良の形態】
【００１３】
（第一の実施例）
本発明を、着脱可能なディスク状の記録媒体を用いたカムコーダに適用した実施例を説明する。
【００１４】
図１は、第一の実施例を表すブロック図である。なお、撮像機能を実行する為のレンズやＣＣＤ、得られた画像データの画像処理を行う画像処理部等の構成は一般的なカムコーダと同様であるので、不図示とする。
【００１５】
１−１はＤＶＤの本実施形態におけるディスク状の記録媒体であり、上記のレンズやＣＣＤ等の撮像手段により取得された画像データも記録される。１−２はディスクを装着して回転させるためのディスクドライブ、１−３はディスクに記録されたデータの読み出し及びディスクにデータを書き込む記録／再生回路である。１−４は、記録／再生回路によって読み込まれたデータもしくはこれからディスクに書き込むデータが保持されるＳＤＲＡＭ、１−５はファイナライズ回路である。一般的にファイナライズとは、主としてＤＶＤ−Ｒ／ＤＶＤ−ＲＷに記録されたデータを、他のプレーヤーでも再生することができるようにするための制御で、ディスクに「映像の記録が終了した」というような情報を書き込む処理である。通常、ファイナライズの行われた後の記録媒体にはデータを追加記録が不可能となる。ファイナライズ回路（１−５）処理として、ファイナライズを行うディスクの空き領域を検索し、その領域に必要なデータ（ファイルシステム関連情報など）を書き込んだり、ダミーデータを書き込んだりしている。１−６はＭＰＥＧコーデック回路で、再生時にはディスクから再生されたＭＰＥＧ圧縮された映像信号をデコードし、また、記録時には映像信号をＭＰＥＧ圧縮する。１−７は印刷画像生成回路で、ディスクから読み出された映像信号からレーベル印刷に使用するデータを取り出しレイアウトすることで、レーベル印刷画像をＳＤＲＡＭ（１−４）上に生成する。１−８はＪＰＥＧコーデック回路で、印刷画像生成回路（１−７）にて生成されたレーベル印刷画像をＪＰＥＧ圧縮する。１−９はＣＰＵで、ここまで説明した記録回路（１−３）、ファイナライズ回路（１−５）、ＭＰＥＧコーデック回路（１−６）、印刷画像生成回路（１−７）、ＪＰＥＧコーデック回路（１−８）などの動作を制御する。１−１０はＯＳＤ回路で、ＣＰＵ（１−９）がＳＤＲＡＭ（１−４）の所定のアドレスに書き込んだ文字列やグラフィックのパターンを読み出し、電気信号（オンスクリーン信号）に変換して映像出力回路（１−１１）に出力する。ＯＳＤ回路（１−１０）から出力されたオンスクリーン信号は、映像出力回路（１−１１）にてＳＤＲＡＭから読み出された映像信号に重畳されて、ＴＶモニタやカムコーダ本体に取り付けられているＬＣＤに対して出力される。１−１３は通信手段としてのＵＳＢ回路であり、前記印刷画像生成手段（１−７）によって生成され、ＪＰＥＧコーデック回路（１−８）によって圧縮されたレーベル印刷画像データを、外部の機器としてのプリンタ（１−１４）と通信して出力する。
【００１６】
次に図２のフローチャート図を用いて、本発明第一の実施例における印刷方法の詳細な手順を説明する。尚、本フローチャートは、図１のブロック図においてＣＰＵ（１−９）が全体の動作を制御している。
【００１７】
まず２−１において、ユーザユーザによりファイナライズの指示操作が行われると、ＣＰＵ（１−９）は２−２にてファイナライズ処理手段（１−５）が開示されし、ファイナライズ処理を実行する。ファイナライズ処理（２−２）が終了すると、次にＣＰＵ（１−９）は２−３にてＳＤＲＡＭ（１−４）に文字列及びグラフィックパターンを書き込み、レーベルプリントを実行するか否かをユーザが選択するレーベルプリント用のＵＩ画面を表示する。２−４でユーザが“いいえ”を選択した場合にはそのままファイナライズ以前の通常動作へ戻る。“はい”を選択した場合には、ＣＰＵ（１−９）はその指示を受け付けて印刷画像生成手段（１−７）を起動し、２−５にてレーベルプリントを行うための印刷画像を生成する。この印刷画像はファイナライズ対象の記録媒体に記録されている画像を利用したり、その記録媒体自体の情報に基づいて生成するのが、レーベルで記録媒体の中身を把握する為には好ましい。この記録媒体自体の情報としては、記録媒体の種類情報やタイトル、記録開始日時、記録終了日、記録データ量、記録されているデータに関する属性情報、またはその属性情報から加工したデータが好ましい。その後ＪＰＥＧコーデック回路（１−８）を起動して、生成された印刷画像をＪＰＥＧ圧縮する。ＪＰＥＧ圧縮されたレーベルプリント画像データが完成すると、ＣＰＵ（１−９）は、２−５−２においてレーベル印刷確認画面を表示する。手順２−５−３で、この画面が表示されているときにユーザが“いいえ”を選択した場合には、レーベル印刷処理は中断してそのままファイナライズ以前の通常動作に戻る。“はい”を選択した場合には、次にＣＰＵ（１−９）は、カムコーダとプリンタがＵＳＢケーブルにて接続されているか否かを検出する。接続されていることが検出されると手順は２−１０へ移行するが、プリンタが検出されなかった場合には、２−７においてユーザに対してプリンタを接続するように知らしめるためのプリンタ接続警告用の画面を表示する。次に２−８にてユーザが“Ｃａｎｃｅｌ”の操作入力を行ったかを検出する。“Ｃａｎｃｅｌ”操作が行われていなかったら次に２−９にてＵＳＢインターフェースにプリンタが接続されているかを再度確認する。プリンタが接続されていなかった場合には、再度２−８の手順に戻る。２−８にて“Ｃａｎｃｅｌ”操作が行われたことが検出されると、ＣＰＵ（１−９）は印刷手順を中断して、ファイナライズ以前の通常動作へ戻る。２−９にてプリンタが接続されていることが検出された場合には、処理手順は２−１０に移行し、２−５にて生成された印刷画像データをＵＳＢケーブルを通じてプリンタに送信する。次にＣＰＵ（１−９）は、２−１１にてディスクをＥｊｅｃｔして、その後ユーザに対して今取り出されたディスクをプリンタに装着することを知らしめる画面表示を行う。
【００１８】
なお、本実施形態のＥｊｅｃｔ処理では、実際に記録媒体を装置内での格納位置から排出位置へ移動するようにしている。しかしながら、記録媒体のふたを開けた状態にしても良い。つまり、装置の内部ステータスとして、記録媒体を排出可能な状態、または取り出し操作の可能な状態にすれば、本発明の範疇に含まれる。ユーザはその表示に従う形で、取り出されたディスクをプリンタに装着すれば、２−１０にて送信された印刷画像データがディスクのレーベル面に印刷される。
【００１９】
また、２−９にてプリンタ接続が検出された後の２−１０、２−１１、２−１２の手順は入れ換えることも可能である。例えば、最初にディスクをＥｊｅｃｔし、その後プリンタへディスク状の記録媒体を装着するように促す画面を表示し、ユーザがプリンタにディスクを装着した後にこの画面で“ＯＫ”操作を行うと、プリント画像データを送信する、としてもよい。
【００２０】
図３に、レーベル印刷表示画面の遷移を示す。３−１はファイナライズ実行中（２−２）に表示される画面、３−１はレーベルプリント用のＵＩ表示（２−３）、３−３はレーベルプリント画像生成中（２−５）に表示される画面である。３−４は２−５−２にて表示されるレーベル印刷確認用の画面であり、この画面にてユーザは印刷画像生成回路（１−７）によって生成された印刷画像を確認することができる。図４は、手順（２−７）にて表示されるプリンタ接続警告画面、図５は、手順（２−１２）にて表示される、ディスクをプリンタに装着することを知らしめる画面である。
【００２１】
上記の実施形態に拠れば、ユーザにとってわかりやすい操作手順で、例えばカムコーダ等の情報処理装置に装着されているメディア（例えばＤＶＤ）の表面に、そのメディアに録画された画像データを用いてレーベル印刷を行うことが可能となる。
【００２２】
特に、ファイナライズ処理の開始の後に、記録媒体に対応するプリントデータを生成することで、記録媒体に記録されているデータとレーベルの記録内容との矛盾をなくすことが可能になる。
【００２３】
（第二の実施例）
図７は、本発明第二の実施例を表すブロック図である。第二の実施例では、図１のブロック図に加えて、静止画ファイルシステム制御回路（７−１）が追加になっている。ＣＰＵ（１−９）はこの静止画ファイルシステム制御回路（７−１）を通じて、ＤＶＤ（１−１）内の静止画ファイルを読み込み表示したり、また逆に、ＪＰＥＧ圧縮された静止画ファイルをＤＶＤ（１−１）に書き込んだりすることが可能である。
【００２４】
以下に、本発明第二の実施例による印刷手順を図６のフローチャートを用いて説明する。まず６−１において、ユーザによりファイナライズ操作が行われると、ＣＰＵ（１−９）は６−２にて印刷画像生成手段（１−８）を起動し、ＤＶＤ（１−１）内の映像データを用いてレーベルプリント画像を生成する。その後、ＪＰＥＧコーデック（１−８）を用いて、生成されたプリント画像をＪＰＥＧ圧縮する。次に６−３において、静止画ファイルシステム（７−１）を利用して、前記圧縮されたプリント画像をＤＶＤ（１−１）に書き込む。その後６−４において、ファイナライズ回路（１−５）を用いてＤＶＤ（１−１）のファイナライズ処理を実行した後に、６−５においてレーベルプリント用のＵＩ画面を表示する。このＵＩ画面は、図３における３−４と同様の画面で、ユーザは生成された印刷画像を確認し、印刷するか否かを画面上「はい」「いいえ」のＵＩ操作にて選択することができる。６−６以後の手順は、第一の実施例における印刷手順の２−５−３以後の手順（図２参照）と一致するので、ここでの説明は省く。
【００２５】
以上説明したような手順で、ファイナライズ及び印刷処理を行うことで、従来に比べて非常に簡単な操作で、カムコーダーからのダイレクトレーベル印刷を実現することが可能となる。
【００２６】
また第二の実施例では、生成されたレーベル印刷画像をディスク内に記録しているため、このデータを利用して印刷を後ほど改めて行ったり、また、ダビングしたディスクに同じレーベル印刷を行ったりすることが可能である。そして、ファイナライズ処理されたディスクと、レーベルプリント用のデータが一体不可分となるので、後々にレーベル印刷する際に、ディスクの中身とレーベルの記載内容との矛盾の発生を防止しやすい。
【００２７】
［他の実施形態］
上記の実施形態の説明では、ディスク状の記録媒体を用いたが、メモリーカードなどの記録媒体であっても、本発明は適用できる。ただし、メモリカードの表面に直接プリントできる装置は別途必要である。
【００２８】
ただし、ディスク状の記録媒体、またはメモリーカードなどの記録媒体の表面に直接プリントしなくても、例えば、レーベルプリントのできるシール用紙に対してプリントを行う場合も、本発明を適用できる。このシール用紙を記録媒体の表面に貼り付けることで、記録媒体に記録されている内容をレーベルで確認することが出来る。なお、この場合には、上述の実施例でディスク状記録媒体をプリンタに装着する変わりに、レーベル用のシール用紙をプリンタに装着する変更を行えばよい。またカムコーダなどの情報処理装置において表示される画面でも、ディスク状記録媒体をプリンｔナに装着させる代わりに、レーベル用シール紙の装着を促せばよい。
【００２９】
また、本発明を用いる情報処理装置としてディスク状の記録媒体を着脱可能なカムコーダを用いて説明したが、ディスク状の記録媒体を利用できるＤＶＤレコーダや、ＨＤＤレコーダにも好適に適用できる。
【００３０】
また、本発明を用いる情報処理装置として、デジタルカメラやパーソナルコンピュータでも好適に適用できる。
【００３１】
また、図１や図７の処理回路等のハードウェア構成を、不図示のメモリなどに記録したプログラムをＣＰＵが取り込み実行することで、ソフトウェア的な構成で置き換えて、本発明を実行しても良い。この場合、実施例に開示する処理方法をＣＰＵで実行する為のプログラム、そしてそのプログラムを記憶する記憶媒体も本発明の範疇に含まれる。
【００３２】
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００３３】
この場合、記憶媒体から読み出されたプログラムコード自体が前述した実施の形態の機能を実現することになり、そのプログラムコード及び該プログラムコードを記憶した記憶媒体は本発明を構成することになる。
【００３４】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００３５】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００３６】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００３７】
【図１】第一の実施例のブロック図
【図２】第一の実施例による印刷動作のフローチャート図
【図３】レーベル印刷表示画面の遷移
【図４】プリンタ接続警告ＵＩ表示
【図５】プリンタ装着インストラクションＵＩ表示
【図６】第二の実施例による印刷動作のフローチャート図
【図７】第二の実施例のブロック図
【符号の説明】
【００３８】
１−１  ＤＶＤ
１−２  Ｄｉｓｃドライブ
１−３  記録／再生回路
１−４  ＳＤＲＡＭ
１−５  ファイナライズ回路
１−６  ＭＰＥＧコーデック回路
１−７  印刷画像生成回路
１−８  ＪＰＥＧコーデック回路
１−９  ＣＰＵ
１−１０  ＯＳＤ表示回路
１−１１  映像出力回路
１−１２  ＬＣＤ
１−１３  ＵＳＢインターフェース
１−１４  プリンタ
７−１  静止画ファイルシステム制御回路
【図１】
2009048709.tif 000003
【図２】
2009048709.tif 000004
【図３】
2009048709.tif 000005
【図４】
2009048709.tif 000006
【図５】
2009048709.tif 000007
【図６】
2009048709.tif 000008
【図７】
2009048709.tif 000009